(57)【特許請求の範囲】
【請求項１】
印刷装置と、
この印刷装置で印刷する複数の画像データが予め登録される第１の記憶装置と、
前記印刷装置で印刷された用紙の排出先となるスタック装置と、
前記スタック装置の各トレイと前記各画像データとを１対１で対応付けて記憶する第２の記憶装置と、
前記各トレイにそれぞれ設けられ、当該各トレイ内に積み重ねられて収納されている印刷済みの用紙に当接する当接部材の変位により当該用紙の枚数を検出する枚数センサと、
前記当接部材の変位に応じて前記枚数センサの検出値の変動があったときは、当該変動のあった時点からの経過時間が予め設定されている基準値に達したときに、前記第２の記憶装置を参照して当該検出値の変動があった前記枚数センサが設けられた前記トレイに対応している前記画像データを選択する選択手段と、
前記印刷装置を制御して前記選択がされた画像データの所定枚数の印刷を行う印刷制御手段と、
前記印刷制御手段により画像データを印刷したときは前記第２の記憶装置を参照して当該画像データと対応付けられている前記トレイの別を読み込む読込手段と、
前記スタック装置を制御して前記印刷後の用紙の排出先を前記読込手段で読込んだトレイとするトレイ選択手段と、
を備えている印刷システム。
【請求項２】
前記画像データごとに前記印刷制御手段で印刷した過去の所定の時点からのトータルの印刷枚数をカウントする第２のカウント手段と、
このカウント値を参照して前記印刷制御手段で印刷を行うときには前記用紙に前記画像データごとのシリアル番号を印刷するシリアル番号印刷手段と、
を備えている請求項１に記載の印刷システム。
【請求項３】
前記画像データごとに前記印刷制御手段で印刷した過去の所定の時点からのトータルの印刷枚数から当該画像データに対応している前記枚数センサで検出した前記トレイ内の収納枚数を減算した枚数をそれぞれカウントする第１のカウント手段と、
この各カウント値のデータを出力する出力手段と、
を備えている請求項１又は２に記載の印刷システム。
【請求項４】
通信インターフェイスを介して前記各カウント値と当該各カウント値を出力する出力先を識別する各出力先識別データとを対応付けて記憶する第３の記憶装置とを備え、
前記出力手段は前記第３の記憶装置を参照して前記各出力先に前記各カウント値を定期的に出力するものである請求項３に記載の印刷システム。
【請求項５】
通信インターフェイスを介して外部から受信する画像データの送信先を識別する各送信先識別データと前記第１の記憶装置に記憶されている各画像データとを対応付けて記憶する第４の記憶装置と、
前記画像データの受信があったときは前記第４の記憶装置を参照して当該受信データに含まれる前記送信先識別データに対応している前記第１の記憶装置に記憶された画像データを前記受信した画像データに更新する更新手段と、
を備えている請求項１〜４のいずれかの一に記載の印刷システム。
【請求項６】
前記印刷装置は孔版印刷装置である請求項１〜５のいずれかの一に記載の印刷システム。
【請求項７】
請求項１〜６のいずれかの一に記載の印刷システムと、
この印刷システムとネットワークで接続されている複数の情報処理装置と、
を備えている印刷管理システム。
【発明の詳細な説明】
【０００１】
【発明の属する技術分野】
この発明は、商店街や観光地などでチラシ、観光案内その他の印刷物を配布するための印刷システム及び印刷管理システムに関する。
【０００２】
【従来の技術】
従来、各商店が客に配布するチラシなどは、新聞の折り込みチラシとしてお客に配布するか、各商店でコピー機や印刷機を用いて作成したものを店頭で配布していた。
【０００３】
また、観光地では、印刷業者に作成させ、あるいは、観光業者が自ら各商店でコピー機や印刷機を用いて作成した観光案内やマップなどを観光案内所に用意しておき、観光客に配布することが行われている。
【０００４】
このような印刷物の残量は各商店や観光業者が目視で確認し、残量が少なくなったときには補充するようにしていた。
【０００５】
【発明が解決しようとする課題】
しかしながら、前記従来の手段では、印刷物の残量は目視で確認し、印刷物が少なくなったときの補充は手作業で行っていたため、煩雑であるという不具合があった。
【０００６】
この発明の目的は、煩雑な手作業による補充を行わなくても、商店街や観光地などで客が欲する印刷物を容易に提供できるようにすることである。
【０００７】
この発明の目的は、複数種類の印刷物を用意しておき、その印刷物を客などが自由に持っていくようにしても、その印刷物の枚数が少なくなったら自動的に補充できるようにすることである。
【０００８】
この発明の目的は、客などが乱雑に印刷物を取り出しても、印刷物の残枚数を正確に検出できるようにすることである。
【０００９】
この発明の目的は、シリアル番号により各印刷物がはけたトータルの枚数の概略が容易に目視できるようにすることである。
【００１０】
この発明の目的は、各印刷物がはけたトータルの枚数を正確に把握することができるようにすることである。
【００１１】
この発明の目的は、自己の印刷物がはけたトータルの枚数の報告を各商店や宿泊施設などで定期的に自動で受けることができるようにすることである。
【００１２】
この発明の目的は、客などに配布する印刷物を各商店や宿泊施設などから更新できるようにすることである。
【００１３】
この発明の目的は、孔版印刷装置を用いたシステムで前記の各目的を実現することである。
【００１４】
この発明の目的は、各商店や宿泊施設などに置かれた情報処理装置から印刷物の提供を管理することができるようにすることである。
【００１５】
【課題を解決するための手段】
請求項１に記載の発明は、印刷装置と、この印刷装置で印刷する複数の画像データが予め登録される第１の記憶装置と、前記印刷装置で印刷された用紙の排出先となるスタック装置と、前記スタック装置の各トレイと前記各画像データとを１対１で対応付けて記憶する第２の記憶装置と、前記各トレイにそれぞれ設けられ、当該各トレイ内に積み重ねられて収納されている印刷済みの用紙に当接する当接部材の変位により当該用紙の枚数を検出する枚数センサと、前記当接部材の変位に応じて前記枚数センサの検出値の変動があったときは、当該変動のあった時点からの経過時間が予め設定されている基準値に達したときに、前記第２の記憶装置を参照して当該検出値の変動があった前記枚数センサが設けられた前記トレイに対応している前記画像データを選択する選択手段と、前記印刷装置を制御して前記選択がされた画像データの所定枚数の印刷を行う印刷制御手段と、前記印刷制御手段により画像データを印刷したときは前記第２の記憶装置を参照して当該画像データと対応付けられている前記トレイの別を読み込む読込手段と、前記スタック装置を制御して前記印刷後の用紙の排出先を前記読込手段で読込んだトレイとするトレイ選択手段と、を備えている印刷システムである。
【００１６】
したがって、複数の印刷物のうち選択信号で要求されたものを印刷して印刷物の種類ごとに別トレイに出力することができるので、商店主や観光業者などが手作業で補充しなくても、商店街や観光地などで客が欲する印刷物を提供することができる。
【００１８】
また、スタック装置の各トレイに複数種類の印刷物を用意しておき、その印刷物を客などが自由に持っていくようにしても、その印刷物の枚数が少なくなったら自動的に補充することができる。
【００２０】
そして、客などが乱雑に印刷物を取り出したことにより当接部材の変位に誤差が生じ、あるいは、取り出した印刷物を客が戻すようなことがあっても、印刷物を取り出した時点からある程度の経過時間があって後の変位を選択信号とするので、印刷物の残枚数を正確に検出することができる。
【００２１】
請求項２に記載の発明は、請求項１に記載の印刷システムにおいて、前記画像データごとに前記印刷制御手段で印刷した過去の所定の時点からのトータルの印刷枚数をカウントする第２のカウント手段と、このカウント値を参照して前記印刷制御手段で印刷を行うときには前記用紙に前記画像データごとのシリアル番号を印刷するシリアル番号印刷手段と、を備えている。
【００２２】
したがって、シリアル番号により各印刷物がはけたトータルの枚数の概略が容易に目視できる。
【００２３】
請求項３に記載の発明は、請求項１又は２に記載の印刷システムにおいて、前記画像データごとに前記印刷制御手段で印刷した過去の所定の時点からのトータルの印刷枚数から当該画像データに対応している前記枚数センサで検出した前記トレイ内の収納枚数を減算した枚数をそれぞれカウントする第１のカウント手段と、この各カウント値のデータを出力する出力手段と、を備えている。
【００２４】
したがって、各印刷物がはけたトータルの枚数を正確に把握することができる。
【００２５】
請求項４に記載の発明は、請求項３に記載の印刷システムにおいて、通信インターフェイスを介して前記各カウント値と当該各カウント値を出力する出力先を識別する各出力先識別データとを対応付けて記憶する第３の記憶装置とを備え、前記出力手段は前記第３の記憶装置を参照して前記各出力先に前記各カウント値を定期的に出力するものである。
【００２６】
したがって、自己の印刷物がはけたトータルの枚数の報告を各商店や宿泊施設などで定期的に自動で受けることができる。
【００２７】
請求項５に記載の発明は、請求項１〜４のいずれかの一に記載の印刷システムにおいて、通信インターフェイスを介して外部から受信する画像データの送信先を識別する各送信先識別データと前記第１の記憶装置に記憶されている各画像データとを対応付けて記憶する第４の記憶装置と、前記画像データの受信があったときは前記第４の記憶装置を参照して当該受信データに含まれる前記送信先識別データに対応している前記第１の記憶装置に記憶された画像データを前記受信した画像データに更新する更新手段と、を備えている。
【００２８】
したがって、客などに配布する印刷物を各商店や宿泊施設などから更新することができる。
【００２９】
請求項６に記載の発明は、請求項１〜５のいずれかの一に記載の印刷システムにおいて、前記印刷装置は孔版印刷装置である。
【００３０】
したがって、孔版印刷装置を用いて請求項１〜５のいずれかの一に記載の印刷システムを構築することができる。
【００３１】
請求項７に記載の発明は、請求項１〜６のいずれかの一に記載の印刷システムと、この印刷システムとネットワークで接続されている複数の情報処理装置と、を備えている印刷管理システムである。
【００３２】
したがって、印刷システムと各情報処理装置との間で通信を行って、各商店や宿泊施設などに置かれた各情報処理装置から印刷システムにおける印刷物の提供を管理することができる。
【００３３】
【発明の実施の形態】
この発明の一実施の形態について説明する。
【００３４】
図１は、この発明の一実施の形態である印刷管理システム１の全体構成を示すブロック図である。図１に示すように、この印刷管理システム１は、印刷システム２を備えている。この印刷システム２は、ＰＣ（Personal Computer）などからなるホストコンピュータ３と、ホストコンピュータ３に接続された印刷装置である孔版印刷装置４と、ホストコンピュータ３とＬＡＮ（Local Area Network）５で接続された複数台の情報処理装置であるＰＣなどからなるクライアント６，６，…とから構成される。この印刷管理システム１は、例えば商店街、観光地などに設置される。例えば商店街に設置する場合には、ホストコンピュータ３及び孔版印刷装置４は商店街の案内所などに設置され、クライアント６，６，…はそれぞれ各商店に設置される。
【００３５】
図２は、印刷システム２の全体構成を示すブロック図である。図２に示すように、この印刷システム２は、ＬＡＮ５と通信を行うための所定の通信インターフェイス７を備えている。孔版印刷装置４は、印刷機８とコントローラ９とからなる。
【００３６】
印刷機８は、マスタを製版する製版装置１１と、製版したマスタを用いて用紙に孔版印刷を行う印刷部１２と、印刷部１２に印刷に使用する用紙を供給する給紙装置１３と、使用後のマスタを排版する排版装置１４と、マイコンなどからなり印刷機８の全体を制御する制御部１５とを備えている。また、印刷後の用紙を排出する搬送経路１６には、スタック装置１７が接続されている。
【００３７】
印刷部１２は、製版されたマスタが巻かれて装着され、回転して用紙上に孔版印刷を行う版胴１８と、この版胴１８の内周側に設けられ、回転する版胴１８にインクを供給するインク供給装置１９と、搬送経路１６上に設けられ印刷後の用紙所定の余白に連続番号をスタンプするスタンプ装置２０とを備えている。
【００３８】
排版装置１４は、図示しない上排版部材、下排版部材、排版ボックス、圧縮板などからなり、使用済みマスタを排版ボックス（図示せず）に収納する。
【００３９】
コントローラ９は、印刷機８と接続されている。このコントローラ９は、通信インターフェイス２４と、この通信インターフェイス２４を介して受信した画像データをバッファリングするバッファ２１と、バッファ２１でバッファリングした画像データを画像展開するためのページメモリ２２と、マイコンなどからなりコントローラ９の全体を制御する制御部２３とを備えている。制御部２３は、印刷の際にはページメモリ２２に展開されたラスタイメージデータを１ライン分ずつ印刷機８に送信する。また、印刷機８の制御部１５とコマンド／レスポンスの送受信を行う。
【００４０】
図３は、ホストコンピュータ３の電気的な接続を示すブロック図である。図３に示すように、ホストコンピュータ３は、各種の演算を行い、ホストコンピュータ３の全体を制御するＣＰＵ３１と、ＢＩＯＳなどを格納したＲＯＭ３２と、各種データを書き換え可能に記憶し、ＣＰＵ３１の作業領域となるＲＡＭ３３とが、バスライン３４で接続されている。さらにバスライン３４には、図示しない所定のインターフェイスを介して、ハードディスク３５と、記憶媒体読取装置３６と、キーボード、マウスなどの入力装置３７と、ＣＲＴ，ＬＣＤなどのディスプレイ３８と、通信インターフェイス７と、画像メモリ４０とが接続されている。
記憶媒体読取装置３６は、ＣＤ，ＤＶＤ，ＦＤなどの記憶媒体３９を読み取る装置であり、具体的にはＣＤドライブ装置、ＤＶＤドライブ装置、ＦＤドライブ装置などである。
【００４１】
ホストコンピュータ３は、記憶媒体３９に記憶されている孔版印刷装置４を駆動するためのドライバーソフト及びＬＡＮ５と通信を行う通信ソフトを記憶媒体読取装置３６から読み取り、このドライバーソフト及び通信ソフトをハードディスク３５にインストールする。また、各クライアント６にもＬＡＮ５と通信を行う通信ソフトがインストールされている。
【００４２】
図４は、スタック装置１７の構成を説明する概念図である。スタック装置１７は、上下に複数段に配置された複数のトレイ４１，４１，…を備えている。搬送経路４２は、搬送経路１６と接続され、制御部１５の制御により、印刷機８で印刷済みの用紙をいずれかのトレイ４１に選択的に排出する（このようなスタック装置の詳細な構成については、例えば、特開平7-309520号公報を参照）。
【００４３】
図５は、トレイ４１部分の詳細な構成を示す縦断面図である。図５に示すように、各トレイ４１には、このトレイ４１内の用紙の枚数を検出する枚数センサ４３が設けられている。この枚数センサ４３は、トレイ４１内の積層された用紙Ｐ上に当接する当接部材であるローラ４４と、このローラ４４を支持する支持部材４５と、この支持部材４５に一端が取り付けられ、他端が支持部材４５を軸支する軸支部材４８に取り付けられて、ローラ４４が用紙Ｐ上に当接するように付勢する弾性部材４６と、支持部材４５（すなわちローラ４４）の変位の大きさを検出する光センサなどで構成された変位センサ４７とを備えていて、ローラ４４の変位（高さ）により、用紙Ｐの枚数を検出するものである。また、トレイ４１上には用紙Ｐの汚れを防止しつつ、用紙Ｐの印刷面を容易に見ることができるようにするために透明カバー４９が形成されている。なお、用紙Ｐは取出口５０から取り出すことができる。また、弾性部材４６の付勢力は、用紙Ｐをトレイ４１から取り出してから再度戻すようなことがあっても、ローラ４４の負荷が障害とならない程度の大きさとするのが望ましい。
【００４４】
次に、以上のような印刷管理システム１が行う処理について説明する。
【００４５】
図６は、画像メモリ４０の記憶エリアの概念図である。画像メモリ４０の記憶エリアは、第１の記憶装置である複数の画像データ格納領域５１，５１，…に分割されており、それぞれの画像データ格納領域５１に異なる画像データが格納される。
【００４６】
図７は、ＲＡＭ３３（あるいは図示しない不揮発性メモリ）の記憶エリアに構築される第２、第３、第４の記憶装置である印刷管理テーブル５２の概念図である。印刷管理テーブル５２は、画像メモリ４０の各画像データ格納領域５１の画像アドレスデータ５３と、クライアント６を識別するクライアント６のクライアントアドレスデータ５４と、スタック装置１７の各トレイ４１を識別するための識別データ５５とが、１対１で対応付けされているテーブルである。
【００４７】
また、印刷管理テーブル５２には、各画像アドレスデータ５３に対応させて、当該画像アドレスデータ５３が示す画像データ格納領域５１に格納されている画像データについての過去のある時点（後述するリセットがされたとき）からのトータルの印刷枚数のカウント値を記憶するトータル枚数記憶領域５６と、当該画像アドレスデータ５３に対応した識別データ５５が示すトレイ４１に収納されている用紙Ｐの枚数の検出値を記憶するトレイ用紙枚数記憶領域５７と、トータル枚数記憶領域５６のカウント値からトレイ用紙枚数記憶領域５７の検出値を減算した値を記憶する消費枚数記憶領域５８とが用意されている。
【００４８】
図８は、印刷機８の制御部１５が行う処理を説明するフローチャートである。
図８に示すように、制御部１５のＣＰＵは、いずれかの変位センサ４７の検出値の変動があったときは（ステップＳ１のＹ）、基準値となる所定のディレイタイムの後（ステップＳ２のＹ）、そのディレイタイムの後における変位センサ４７の出力値を取り込み（ステップＳ３）、その出力値から当該変位センサ４７が設けられているトレイ４１に収納されている用紙Ｐの枚数を求め（ステップＳ４）、その枚数のデータを、変位センサ４７の検出値の変動があったのが何れのトレイ４１かを識別する識別データとともにコントローラ９に出力する（ステップＳ５）。ステップＳ１〜Ｓ５により出力手段を実現している。
【００４９】
コントローラ９では、このトレイ４１に収納されている用紙Ｐの枚数のデータ、及び、何れのトレイ４１かを識別する識別データからなるデータ（枚数検出データ）を受信したときは、この枚数検出データをホストコンピュータ３に転送する。
【００５０】
図９は、ホストコンピュータ３が行う処理を説明するフローチャートである。
図９に示すように、ＣＰＵ３１は、コントローラ９から選択信号となる前記の枚数検出データを受信したときは（ステップＳ２１のＹ）、その枚数検出データに含まれている識別データと同じ値である識別データ５５に対応しているトレイ用紙枚数記憶領域５７を印刷管理テーブル５２から探し、そのトレイ用紙枚数記憶領域５７の値を枚数検出データに含まれている用紙Ｐの枚数のデータで更新する（ステップＳ２２）。そして、トータル枚数記憶領域５６の値からトレイ用紙枚数記憶領域５７の更新後の値を減算する演算を行い（ステップＳ２３）、その減算後の値で消費枚数記憶領域５８の値を更新する（ステップＳ２４）。ステップＳ２３，Ｓ２４により第１のカウント手段を実現している。
【００５１】
次に、更新後のトレイ用紙枚数記憶領域５７を予め設定された基準値（例えば１０枚）と比較し（ステップＳ２５）、この基準値を下回っていたときは（ステップＳ２５のＹ）、印刷の実行を指示するプリントコマンドをコントローラ９に出力し（ステップＳ２６）、また、当該トレイ用紙枚数記憶領域５７と対応している画像アドレスデータ５３が示す画像データ格納領域５１の画像データを読み出してコントローラ９に出力する（ステップＳ２７）。プリンタコマンドには、トータル枚数記憶領域５６の値と、識別データ５５の値と、予め設定された一律の印刷枚数（例えば１０枚）の指示とが含まれている。更新後のトレイ用紙枚数記憶領域５７が基準値を下回っていなかったときは（ステップＳ２５のＮ）、図９の処理を終了する。
【００５２】
プリントコマンドと画像データをホストコンピュータ３から受信したコントローラ９は、画像データをバッファ２１でバッファリングし、ページメモリ２２に画像展開する。そして、画像展開が完了すると、印刷の開始を指示するプリントコマンドを印刷機８に出力し、１ライン分ずつ画像展開後のラスタイメージデータを印刷機８に出力する。
【００５３】
図１０は、印刷機８の制御部１５が行う処理を説明するフローチャートである。図１０に示すように、制御部１５のＣＰＵは、コントローラ９からプリントコマンドを受信すると（ステップＳ４１のＹ）、受信したラスタイメージデータに基づいて製版装置１１でマスタの製版を行い（ステップＳ４２）、印刷枚数としてプリンタコマンドに含まれている印刷枚数を設定し、また、スタンプ装置２０の初期値として、プリンタコマンドに含まれているトータル枚数記憶領域５６の値に+１を加算した数を設定する（ステップＳ４３）。
【００５４】
そして、製版後のマスタを用いて印刷部１２で印刷を開始する（ステップＳ４４）。この印刷では、１枚印刷すると（ステップＳ４５のＹ）、印刷枚数の設定値を−１だけデクリメントし（ステップＳ４６）、スタンプ装置２０で前記の初期値から開始するシリアル番号をスタンプして（ステップＳ４７）、そのシリアル番号を＋１だけインクリメントし（ステップＳ４８）、スタック装置１７を制御してプリントコマンドに含まれていた識別データ５５が示すトレイ４１に印刷後の用紙Ｐを排出する（ステップＳ４９）、という動作を繰返し（ステップＳ５０のＮ）、印刷枚数の設定値が０になったときに（ステップＳ５０のＹ）、印刷を終了し（ステップＳ５１）、印刷終了を知らせる印刷終了レスポンスをコントローラ９に出力する（ステップＳ５２）。ステップＳ４５，Ｓ４６，Ｓ５０により印刷制御手段を、ステップＳ４９によりトレイ選択手段を、ステップＳ４７によりシリアル番号印刷手段を実現している。
【００５５】
この印刷終了レスポンスを受け取ったコントローラ９は、印刷終了をホストコンピュータ３に通知する。
【００５６】
図９に示すように、ＣＰＵ３１は、コントローラ９から印刷の終了の通知を受け取ったときは（ステップＳ２８のＹ）、予め設定された一律の印刷枚数分（例えば１０枚）だけ、印刷が終了した画像データに対応したトータル枚数記憶領域５６の値をカウントアップする（ステップＳ２９）。ステップＳ２９により第２のカウント手段を実現している。
【００５７】
図１１、図１２は、ホストコンピュータ３が行う処理を説明するフローチャートである。図１１に示すように、ＣＰＵ３１は、一定時間の経過ごとに（ステップＳ６１のＹ）、印刷管理テーブル５２に記憶されている各識別データ５５が示す各クライアント６に、その各識別データ５５に対応している消費枚数記憶領域５８の値をそれぞれ通知する（ステップＳ６２）。ステップＳ６１，Ｓ６２により出力手段を実現している。
【００５８】
また、図１２に示すように、ＣＰＵ３１は、いずれかのクライアント６から画像データを受信したときは（ステップＳ７１）、印刷管理テーブル５２を参照して、その受信データに含まれているクライアント６のクライアントアドレスデータと一致するクライアントアドレスデータ５４に対応している画像アドレスデータ５３を特定し（ステップＳ７２）、その画像アドレスデータ５３が示す画像データ格納領域５１を、受信した画像データで更新する（ステップＳ７３）。ステップＳ７１〜Ｓ７３により更新手段を実現している。
【００５９】
【発明の効果】
請求項１に記載の発明は、複数の印刷物のうち選択信号で要求されたものを印刷して印刷物の種類ごとに別トレイに出力することができるので、商店主や観光業者などが手作業で補充しなくても、商店街や観光地などで客が欲する印刷物を提供することができる。
【００６０】
また、スタック装置の各トレイに複数種類の印刷物を用意しておき、その印刷物を客などが自由に持っていくようにしても、その印刷物の枚数が少なくなったら自動的に補充することができる。
【００６１】
そして、客などが乱雑に印刷物を取り出したことにより当接部材の変位に誤差が生じ、あるいは、取り出した印刷物を客が戻すようなことがあっても、印刷物を取り出した時点からある程度の経過時間があって後の変位を選択信号とするので、印刷物の残枚数を正確に検出することができる。
【００６２】
請求項２に記載の発明は、請求項１に記載の印刷システムにおいて、シリアル番号により各印刷物がはけたトータルの枚数の概略が容易に目視できる。
【００６３】
請求項３に記載の発明は、請求項1又は２に記載の印刷システムにおいて、各印刷物がはけたトータルの枚数を正確に把握することができる。
【００６４】
請求項４に記載の発明は、請求項３に記載の印刷システムにおいて、自己の印刷物がはけたトータルの枚数の報告を各商店や宿泊施設などで定期的に自動で受けることができる。
【００６５】
請求項５に記載の発明は、請求項１〜４のいずれかの一に記載の印刷システムにおいて、客などに配布する印刷物を各商店や宿泊施設などから更新することができる。
【００６６】
請求項６に記載の発明は、請求項１〜５のいずれかの一に記載の印刷システムにおいて、孔版印刷装置を用いて請求項１〜５のいずれかの一に記載の印刷システムを構築することができる。
【００６７】
請求項７に記載の発明は、請求項１〜６のいずれかの一に記載の印刷システムと、印刷システムと各情報処理装置との間で通信を行って、各商店や宿泊施設などに置かれた各情報処理装置から印刷システムにおける印刷物の提供を管理することができる。
【図面の簡単な説明】
【図１】この発明の一実施の形態である印刷管理システムの全体構成を示すブロック図である。
【図２】前記印刷管理システムを構成する印刷システムの全体構成を示すブロック図である。
【図３】前記印刷システムのホストコンピュータの電気的な接続を示すブロック図である。
【図４】前記印刷システムの印刷機で用いるスタック装置の構成を説明する概念図である。
【図５】前記スタック装置に設けられているトレイ部分の詳細な構成を示す縦断面図である。
【図６】前記印刷システムのホストコンピュータにおける画像メモリの記憶エリアの概念図である。
【図７】前記印刷システムのホストコンピュータで用いる印刷管理テーブルの構成を説明する概念図である。
【図８】前記印刷機が行う処理を説明するフローチャートである。
【図９】前記ホストコンピュータが行う処理を説明するフローチャートである。
【図１０】前記印刷機が行う処理を説明するフローチャートである。
【図１１】前記ホストコンピュータが行う処理を説明するフローチャートである。
【図１２】前記ホストコンピュータが行う処理を説明するフローチャートある。
【符号の説明】
１      印刷管理システム
２      印刷システム
４      印刷装置、孔版印刷装置
１７    スタック装置
４３    枚数センサ
４４    当接部材
５１    第１の記憶装置
５２    第２、第３、第４の記憶装置
【図１】
0004573441.tif 000002
【図２】
0004573441.tif 000003
【図３】
0004573441.tif 000004
【図４】
0004573441.tif 000005
【図５】
0004573441.tif 000006
【図６】
0004573441.tif 000007
【図７】
0004573441.tif 000008
【図８】
0004573441.tif 000009
【図９】
0004573441.tif 000010
【図１０】
0004573441.tif 000011
【図１１】
0004573441.tif 000012
【図１２】
0004573441.tif 000013